(57)【要約】      （修正有）【課題】付替え用装飾パーツの保管及び携帯を容易に行うことができ、装飾パーツの飾り付け作業にも便利で、装飾パーツの説明書として兼用することもでき、しかも、製造コストも低廉な装飾パーツのカード型ホルダーセットを提供する。【解決手段】周縁部の少なくとも一部には複数のスロット１１が開設され、かつ、このスロット１１の奥端には、スロット１１の溝幅よりも大径の止め孔１２が形成されて成るカード本体１であって、このカード本体１の各スロット１１には、止め孔１２よりも大径な装飾盤２１と裏掛盤２２とがタイロッド２３によって所要の間隔で一体に接合されて成る装飾パーツ２を、スロット１１を通して止め孔１２においてバヨネット掛止可能に構成した。【選択図】図１
0003141372.tif 000002
【実用新案登録請求の範囲】
【請求項１】
周縁部の少なくとも一部には複数のスロット11・11…が開設され、かつ、このスロット11の奥端には、前記スロット11の溝幅よりも大径の止め孔12が形成されて成るカード本体１であって、このカード本体１の前記各スロット11には、前記止め孔12よりも大径な装飾盤21と裏掛盤22とがタイロッド23によって所要の間隔で一体に接合されて成る装飾パーツ２を、前記スロット11を通して止め孔12においてバヨネット掛止可能に構成したことを特徴とする装飾パーツのカード型ホルダーセット。
【請求項２】
装飾パーツ２のタイロッド23は、カード本体１のスロット11の溝幅よりも細い細径部23aと前記スロット11の溝幅よりも太い太径部23bとを有する異径に構成されており、装飾盤21のタイロッド23の細径部23aをスロット11に挿通して、当該タイロッド23を中心として装飾パーツ２全体を軸回りさせて太径部23bで抜止めして、装飾パーツ２をカード本体１にバヨネット掛止できるようにしたことを特徴とする請求項１記載の装飾パーツのカード型ホルダーセット。
【請求項３】
カード本体１の表裏面の少なくとも一方に表記部13を設けたことを特徴とする請求項１または２に記載の装飾パーツのカード型ホルダーセット。
【考案の詳細な説明】
【技術分野】
【０００１】
本考案は、装飾パーツの保持具セットの改良、詳しくは、付替え用の装飾パーツを容易に携帯することができ、装飾パーツの飾り付けする際にも便利で、しかも、装飾パーツの説明書として兼用することもできる利便性に優れた装飾パーツのカード型ホルダーセットに関するものである。
【背景技術】
【０００２】
以前、本件出願人は、眼鏡の装身具としてのファッション性をより高める手段として、図６(a)に示すような、装飾盤と裏掛盤とをタイロッドで連結した構造で、図６(b)に示すように、バヨネット機構によって眼鏡フレームＦの取着部に着脱自在に装着可能な装飾パーツを考え付いた。
【０００３】
ところが、上記装飾パーツは基本的に小さなものが多く、付替え用の装飾パーツをなくさないように保管及び携帯することは大変であったため、収納袋などを使用する必要があったが、収納袋を使用する場合には、パーツ収容時に膨らんで服のポケットなどに入れた際に嵩張り易く、そのうえ、装飾パーツの付属品として販売するには製造コストが高く付き過ぎるという問題があった。
【０００４】
ところで、上記装飾パーツに関しては、ビーズ等の装飾石や塗料などで装飾面を自分の好みに飾り付けることが可能であったが、装飾パーツを片方の手で摘みながらもう一方の手で飾り付け作業を行うと装飾パーツを持った手が震えるなどして緻密な作業が困難であり、他方また、販売時に装飾パーツに付属する取付け方法や飾り付け方法を紙に記した説明書に関しては、購入後にゴミと勘違いして捨てられてしまい、いざ取付けや飾り付けを行う際に方法の確認を行えなくなってしまうことがあった。
【０００５】
そこで、既に公知技術となっている＜特許文献１＞に開示されているようなカード型の保持具を使用して上記課題を解決する方法も考えられたが、＜文献１＞記載のカード型保持具は、カードを撓めてスリットを拡開して装飾パーツを差込み固定する構造であったことから、装飾パーツをカードに固定した状態で飾り付け作業を行うと、カードを指で押え付けたときにカードが撓んで装飾パーツの固定状態が緩み、それによって、ピンセット等が装飾パーツに触れただけで簡単に装飾面の角度が変わってしまい、装飾石等の固着位置がズレ易くなるという不満があった。
【０００６】
また、上記従来のカード型保持具では、装飾パーツの差し込みを容易に行うために、できるだけ長尺のスリットをカード中央に設ける必要があったことから、カードの表裏面を文章や図等の表記部として利用するには不都合があった。
【特許文献１】登録実用新案第３０４０８６３号公報（段落番号[0014]、第５図）
【考案の開示】
【考案が解決しようとする課題】
【０００７】
本考案は、この上記の問題に鑑みてなされたものであって、その目的とするところは、付替え用装飾パーツの保管及び携帯を容易に行うことができ、併せて、装飾パーツの飾り付け作業にも便利で、装飾パーツの説明書として兼用することもでき、しかも、製造コストも低廉な装飾パーツのカード型ホルダーセットを提供することにある。
【課題を解決するための手段】
【０００８】
本考案者が、上記課題を解決するために採用した手段を添付図面を参照して説明すれば次のとおりである。
【０００９】
即ち、本考案は、周縁部の少なくとも一部には複数のスロット11・11…が開設され、かつ、このスロット11の奥端には、前記スロット11の溝幅よりも大径の止め孔12が形成されて成るカード本体１であって、このカード本体１の前記各スロット11には、前記止め孔12よりも大径な装飾盤21と裏掛盤22とがタイロッド23によって所要の間隔で一体に接合されて成る装飾パーツ２を、前記スロット11を通して止め孔12においてバヨネット掛止可能に構成した点に特徴がある。
【００１０】
また、本考案においては、上記課題を解決するために、必要に応じて上記手段に加え、装飾パーツ２のタイロッド23は、カード本体１のスロット11の溝幅よりも細い細径部23aと前記スロット11の溝幅よりも太い太径部23bとを有する異径に構成されており、装飾盤21のタイロッド23の細径部23aをスロット11に挿通して、当該タイロッド23を中心として装飾パーツ２全体を軸回りさせて太径部23bで抜止めして、装飾パーツ２をカード本体１にバヨネット掛止できるようにするという技術的手段を採用することができる。
【００１１】
また、本考案においては、上記課題を解決するために、必要に応じて上記手段に加え、カード本体１の表裏面の少なくとも一方に表記部13を設けるという技術的手段を採用することができる。
【考案の効果】
【００１２】
本考案においては、カード本体の周縁部に装飾パーツのタイロッドを挿入可能なスロットを設け、このスロット奥端には止め孔を形成して、当該止め孔に前記タイロッドをバヨネット機構によって掛止可能に構成したことにより、カード本体に装着した状態で付替え用の装飾パーツの保管や携帯を容易に行うことができ、しかも、装着された全ての装飾バーツはカード本体に沿って横向きに取り付けられているため、服等のポケットに入れても嵩張ることなくどこにでも簡単に持ち運ぶことができる。
【００１３】
また、カード本体は比較的に剛性の高い材料から作成することができるため、飾り付け作業の際に装飾パーツの固定台としてカード本体を使用することもでき、それによって緻密な飾り付け作業を安定した状態で行うことが可能となる。
【００１４】
一方、装飾パーツを装着するためのスロットや止め孔をカード本体の周縁部に形成したことにより、カード中央部を表記部として有効に利用することができるため、カード本体の表裏面に装飾パーツの取付け方法や飾り付け方法などの説明書きを付して、カード本体を説明書として兼用することもできる。
【００１５】
他方また、カード本体のスロットや止め孔は大量生産に適したパンチ加工等によって形成することが可能であるため、製造コストを低廉化してカード本体の単価を抑え、装飾パーツの付属品としてセット販売できる。
【００１６】
したがって、本考案により、装身具等のファッションアイテムに用いる装飾パーツの使用や持ち運びに便利なカード型ホルダーを装飾パーツと併せて提供することができることから、本考案の実用的利用価値は非常に高いと云える。
【考案を実施するための最良の形態】
【００１７】
『実施例１』
本考案の実施例１については、図１から図４に示される。同図において、符号１で指示するものはカード本体であり、符号２で指示するものは装飾パーツである。
【００１８】
この実施例１においては、厚紙を使用して方形のカード本体１を作製し、このカード本体１の周縁部の一辺には複数のスロット11・11…を開設すると共に、各スロット11の奥端にはスロット11の溝幅よりも大径の止め孔12を形成している（図１参照）。
【００１９】
一方、装飾パーツ２は、前記止め孔12よりも大径で装飾面21aを備えた装飾盤21と裏掛盤22とをタイロッド23を介して所要の間隔で一体に接合した形態で作製している。
【００２０】
ちなみに、装飾パーツ２は、眼鏡フレーム以外にも、装身具やバッグ等の小物、サンダル等の履き物や帽子など、様々な物品に使用することができる。
【００２１】
また、前記装飾パーツ２のタイロッド23は、図２(a)に示されるカード本体１のスロット11よりも細い細径部21aと、図２(b)に示されるスロット11よりも太い太径部21bを有する異径に構成されている。
【００２２】
これにより、図３(a)に示すように、装飾パーツ２の装飾盤21と裏掛盤22との間にカード本体１を挟み込んだ状態で、タイロッド23の細径部21aをスロット11に挿通して奥端の止め孔12まで挿入できる。
【００２３】
そして、止め孔12へと挿入した装飾パーツ２は、図３(b)に示すように、タイロッド23を中心として全体を軸回りさせることにより、タイロッド23の太径部21bで止め孔12内に抜止めして装飾パーツ２をカード本体１にバヨネット掛止することができる。
【００２４】
上記のように構成したことによって、カード本体１に装着すれば付替え用の装飾パーツ２の保管や携帯を容易に行うことができ、しかも、装飾パーツ２・２…は全て横向きに装着されるため、ポケットに入れた際に膨らんで嵩張ってしまうこともない。
【００２５】
更に実施例１では、カード本体１に比較的に剛性の高い厚紙を採用しているため、図４に示すように、装飾パーツ２の飾り付け作業時に固定台としてカード本体１を使用することができ、これによって、装飾パーツ２を安定させて装飾面21aにピンセットＰやアートスティック等を用いて装飾石Ｓやビーズ、ステンシルなどを緻密に貼り付け又は接着することができる。
【００２６】
加えて、カード本体１を固定台として使用すれば、複数の装飾パーツ２・２…を同じ模様に飾り付ける際に、カード本体１に装着された他の装飾パーツ２と見比べながら飾り付けできるため、非常に便利である。
【００２７】
また実施例１では、カード本体１の表裏面に表記部13を設けて、この表記部13に文章や図等を含んだ装飾パーツ２の取付け方法の説明書きをプリントしているため、カード本体１を装飾パーツ２の説明書として兼用でき、カード本体１を携帯しておけば装飾パーツ２の付替え時にいつでも確認することができる。
【００２８】
ちなみに、カード本体１の表記部13には、装飾パーツ２の取付け方法だけでなく、装飾パーツ２の装飾面21aの飾り付け方法やロゴマークなどを表記してもよい。
【００２９】
そしてまた、実施例１では、カード本体１の厚みを、装飾パーツ２の装飾盤21と裏掛盤22の間隔よりも若干大きくして、装飾パーツ２を挿入した際にカード本体１である厚紙を圧縮して装飾盤21と裏掛盤22とで挟持せしめるようにすることで、装飾パーツ２の不要な空回りを防止している。
【００３０】
他方また、実施例１では、カード本体１のスロット11や止め孔12を大量生産に好都合なパンチ加工により形成しているため、製造コストを低廉化して単価を抑えカード本体１を装飾パーツ２の付属品としてセット販売することができる。
【００３１】
本考案は、概ね上記のように構成されるが、図示の実施形態に限定されるものでは決してなく、「実用新案登録請求の範囲」の記載内において種々の変更が可能であって、例えば、カード本体１の材料には、紙材だけでなく、プラスチック材料や金属材料、そして、それらを積層した複合材料などを採用することも可能である。
【００３２】
また、カード本体１の形状に関しても、図５に示すような円形状に作製して、端縁部全周にスロット11及び止め孔12を所定間隔で形成してもよく、また、カード本体１は方形状や円形状に限らず他の形状に自由に設計することもでき、何れも本考案の技術的範囲に属する。
【産業上の利用可能性】
【００３３】
近年においては、若者等の間で個性的な服装が好まれるようになったことにより、ファッションアイテムである眼鏡等の装身具や小物、履き物、帽子に対して、使用者の好みに応じて装飾パーツの変更が可能なデザイン自由度の高い装飾技術が採用されるようになった。
【００３４】
そのような中で、本考案の装飾パーツのカード型ホルダーセットは、付替え用装飾パーツの取扱いが容易になるだけでなく、固定台や説明書としても兼用可能な非常に便利な専用ツールが付属していることから、装飾パーツの実用性の向上、本考案の産業上の利用価値は非常に高いと云える。
【図面の簡単な説明】
【００３５】
【図１】本考案の実施例１における装飾パーツのカード型ホルダーを表わす全体斜視図である。
【図２】本考案の実施例１における装飾パーツの形状を表わす全体側面図である。
【図３】本考案の実施例１における装飾パーツのカード型ホルダーへの取付け状態を表わす状態説明図である。
【図４】本考案の実施例１におけるカード型ホルダーの飾り付け状態を表わす状態説明図である。
【図５】本考案の変形例における装飾パーツのカード型ホルダーを表わす全体前面図である。
【図６】従来技術における眼鏡の装飾パーツを表わす概略説明図である。
【符号の説明】
【００３６】
１  カード本体
11  スロット
12  止め孔
13  表記部
２  装飾パーツ
21  装飾盤
21a  装飾面
22  裏掛盤
23  タイロッド
23a  細径部
23b  太径部
Ｆ  眼鏡フレーム
Ｓ  装飾石
【図１】
0003141372.tif 000003
【図２】
0003141372.tif 000004
【図３】
0003141372.tif 000005
【図４】
0003141372.tif 000006
【図５】
0003141372.tif 000007
【図６】
0003141372.tif 000008